(57)【要約】【課題】  簡単な機構で片開き扉をロックして、強風が吹いても開閉しない片開き扉のロック機構を提供するものである。【解決手段】  先端側にねじ部１０Ａ、１０Ｂを設けた小径部１１を形成し、後端側に大径部１２を形成した回転つまみ１３の小径部１１を、片開き扉５の取付け孔２３に貫通させて、大径部１１の先端と扉５の前面との間に取付けたリング部１４と、前記ねじ部１０Ａに取付けたナット１７と扉５の背面との間に取付けた大径シム１５とで扉５を両側から挟持し、前記ナット１７の先端にストッパー１８を突設すると共に、ねじ部１０Ｂの先端に回動片１９を取付けて、回転つまみ１３を回転させることにより、回動片１９を一体に回動させて、前記ストッパー１８により停止した状態で、回動片１９の先端が扉５の内側の段部２５に係止するようにしたものである。【選択図】  図２
2007321516.tif 000002
【特許請求の範囲】
【請求項１】
先端側にねじ部を設けた小径部を形成し、後端側に大径部を形成した回転つまみの小径部を、片開き扉に開孔した取付け孔に貫通させ、前記大径部の先端と扉前面との間に取付けたリング部と、前記ねじ部に取付けたナットと扉背面との間に取付けたシムとで扉を両側から挟持し、前記ナットの先端にストッパーを突設すると共に、ねじ部の先端に回動片を取付けて、回転つまみを回転させることにより、回動片を一体に回動させて、前記ストッパーにより停止した状態で、回動片の先端が扉枠の内側に係止するようにしたことを特徴とする片開き扉のロック機構。
【請求項２】
回転つまみの大径部を、外周にねじ山を形成した円柱部の先端にフランジを形成した内側部材と、前記ねじ山と螺合するねじ孔を中心に形成したキャップ部材とで構成すると共に、前記内側部材のフランジにねじ孔を貫通させて、ここに先端がリング部に当接するねじ棒を前後進自在に取付けたことを特徴とする請求項１記載の片開き扉のロック機構。
【発明の詳細な説明】
【技術分野】
【０００１】
本発明は、墓前に設置する石材製の収納箱などに取付けた片開き扉のロック機構に関するものである。
【背景技術】
【０００２】
墓前には、線香を供える香炉や、花立てなどが一般に設置されているが、近年、花立てと湯飲みや線香を保管する収納箱とを兼用したものが開発されている。これは例えば図６ないし図９に示すように石材で形成されたコ字形本体部１の上部に、花立て孔２を形成し、コ字形本体部１の内側の収納部３の片側に側板４を取付け、収納部３を囲むように、ここに平面Ｌ形状をなす片開き扉５が開閉自在に設けられている。この片開き扉５には扉開閉のためつまみ６が前面に取付けられている。
【０００３】
しかしながら、この片開き扉５はロックする機構がないため、図８および図９に示すように片開き扉５を閉じておいても、強風が吹くと風で開閉し、その時の石材の衝突音が騒音となるばかりか、風や砂、埃などが内部に侵入して汚れる問題があった。また骨壺を保管する納骨室に、キーロックを取付けて施錠する構造のもの（特許文献１）もあるが、これは構造が複雑で、鍵を紛失した時に開くことができない問題がある。
【特許文献１】特開２００３ー４７５５６
【発明の開示】
【発明が解決しようとする課題】
【０００４】
本発明は上記問題を改善し、簡単な機構で片開き扉をロックして、強風が吹いても開閉しない機構を提供するものである。
【課題を解決するための手段】
【０００５】
本発明の請求項１記載の片開き扉のロック機構は、先端側にねじ部を設けた小径部を形成し、後端側に大径部を形成した回転つまみの小径部を、片開き扉に開孔した取付け孔に貫通させ、前記大径部の先端と扉前面との間に取付けたリング部と、前記ねじ部に取付けたナットと扉背面との間に取付けたシムとで扉を両側から挟持し、前記ナットの先端にストッパーを突設すると共に、ねじ部の先端に回動片を取付けて、回転つまみを回転させることにより、回動片を一体に回動させて、前記ストッパーにより停止した状態で、回動片の先端が扉枠の内側に係止するようにしたことを特徴とするものである。
【０００６】
本発明の請求項２記載の片開き扉のロック機構は、回転つまみの大径部を、外周にねじ山を形成した円柱部の先端にフランジを形成した内側部材と、前記ねじ山と螺合するねじ孔を中心に形成したキャップ部材とで構成すると共に、前記内側部材のフランジにねじ孔を貫通させて、ここに先端がリング部に当接するねじ棒を前後進自在に取付けたことを特徴とするものである。
【発明の効果】
【０００７】
本発明に係る請求項１記載の片開き扉のロック機構によれば、片開き扉を閉じて、回転つまみを回転させると、回動片も同時に回転して、ストッパーで停止し、この状態で回動片の先端は扉枠の内側に係合してロックされるので、強風によって扉が開くことがなく衝突音も発生せず、風や砂、埃などの侵入を確実に防止することができる。
【０００８】
また請求項２記載の片開き扉のロック機構によれば、キャップ部材を取外してから、内側部材のフランジに取付けたねじ棒を捩って回転させると、この先端がリング部の前面から離れて内側部材が回転可能となり、この先端に取付けた回動片により扉のロックや解除ができる。使用後は、再びねじ棒を回転させると先端がリング部の前面に当接して回転つまみが固定され回転しなくなる。この後、内側部材にキャップ部材を被せて螺合させると、ねじ棒の位置が外部から見えず、構造の分からない他人が回転つまみを回そうとしても、扉は鍵が掛ってロックされた状態となっているので開けられることがない。
【発明を実施するための最良の形態】
【０００９】
以下本発明の実施の一形態を図１および図２を参照して詳細に説明する。この片開き扉のロック機構は図１に示すように、先端側に外径の異なる２段のねじ部１０Ａ、１０Ｂを設けた小径部１１が形成され、後端側に大径部１２が形成された回転つまみ１３の、前記小径部１１にリング部１４と大径シム１５が取付けられている。また前記大径のねじ部１０Ａにはナット１７が螺合し、このナット１７の前面に棒状のストッパー１８が突設されている。また小径のねじ部１０Ｂには板状の回動片１９が小径のシム２０、２０に挟持して取付けられ、スプリング座金２１を介して小径のナット２２により固定されている。
【００１０】
この片開き扉のロック機構の取付け方法は図２に示すように、片開き扉５の端部側に回転つまみ取付け孔２３を開孔し、ここに円筒体２４を挿着する。また扉枠となる側板４の先端内側にも段部２５を形成しておく。次に回転つまみ取付け孔２３に挿着した円筒体２４に、回転つまみ１３のリング部１４を取付けた小径部１１を貫通させて、片開き扉５の内側から大径シム１５を小径部１１に取付けて、ナット１７をねじ部１０Ａに螺合させて締付けていくと、大径部１２の先端と扉５の前面との間に取付けたリング部１４と、前記ねじ部１０Ａに取付けたナット１７と扉５の背面との間に取付けた大径シム１５との間で扉５が両側から挟持されて回転つまみ１３が回転自在に支持される。
【００１１】
この後、先端の小径のねじ部１０Ｂに、シム２０、板状の回動片１９、シム２０、スプリング座金２１および小径のナット２２の順に取付けて、回動片１９を固定する。
【００１２】
このように構成した片開き扉のロック機構は、片開き扉５を閉じて回転つまみ１３を左側に回転させると、回動片１９も同時に回転して、ストッパー１８で停止し、この状態で回動片１９の先端は側板４の段部２５に係合してロックされる。この結果、強風によって片開き扉５が開くことがないので、従来のように片開き扉５の衝突音が発生せず、風や砂、埃などの侵入を確実に防止することができる。
【００１３】
図３ないし図５は本発明の他の実施の形態を示すもので、回転つまみ１３の大径部１２を、外周にねじ山２７を形成した円柱部２８の先端にフランジ２９を形成した内側部材３０と、前記ねじ山２７と螺合するねじ孔３１を中心に形成したキャップ部材３２とを組み合わせて構成されている。更に前記内側部材３０のフランジ２９にはねじ孔３１が前後方向に貫通して開孔され、ここに六角溝３４を形成したねじ棒３３が前後進自在に取付けられ、この先端がリング部１４に当接して固定されるようになっている。
【００１４】
この構成の片開き扉のロック機構は、図３に示すように片開き扉５を閉じた状態から開く時には、図４および図５に示すようにキャップ部材３２を捩って、内側部材３０の円柱部２８から取外すと、フランジ２９のねじ孔３１に挿着したねじ棒３３が図５に示すように露出する。
【００１５】
このねじ棒３３の先端には図５に示すように六角溝３４が形成されているので、図４に示すように六角レンチ３５を差し込んでねじ棒３３を緩めて後退させると、この先端がリング部１４の前面から離れて内側部材３０が回転可能になる。この後、内側部材３０を回転させると、先端の回動片１９が段部２５から外れて片開き扉５を開くことができる。
【００１６】
片開き扉５を閉じた後は、再び内側部材３０を逆に回転させると、回動片１９によりロックされる。この後、図４に示すように六角レンチ３５をねじ棒３３の六角溝３４に差し込んでねじ込んでいくと、この先端がリング部１４の前面に当接して回転つまみ１３が固定され、回転しなくなる。
【００１７】
この後、再び図３に示すようにキャップ部材３２を円柱部２８に被せてねじ山２７に螺合させると、回転つまみ１３を回しても回転しない。従って、ねじ棒３３の位置が外部から見えないので、構造の分からない他人が回転つまみ１３を回して片開き扉５を開けようとしても、鍵が掛ってロックされた状態となっているので開けられない。また市販の六角レンチ３５があれば、特定の鍵がなくても使用者は開けられるので、鍵の紛失による問題も少ない。
【００１８】
なお上記説明では、片開き扉５が右開きの場合について説明したが、左開きの扉にも適用することができる。また回動片１９の取付け構造は上記構成に限らず回転つまみ１３の先端に、一体に取付けられていれば他の構造でも良い。またねじ棒３３は六角溝３４を形成したものに限らず、マイナス溝やプラス溝を形成し、ドライバーで回転させるようにした構造でも良い。
【産業上の利用可能性】
【００１９】
なお上記説明では墓前に設置する花立てを兼用した収納箱に適用した場合について示したが、片開き構造の扉であれば、他の収納箱にも広く使用ことができる。
【図面の簡単な説明】
【００２０】
【図１】本発明の実施の一形態による片開き扉のロック部材を示す斜視図である。
【図２】図１のロック部材を片開き扉に取付けたロック機構を示す断面図である。
【図３】本発明の他の実施の形態による片開き扉に取付けたロック機構を示す断面図である。
【図４】図３の状態からキャップ部材を取外した状態を示す断面図である。
【図５】図４のキャップ部材を取外した状態を示す正面図である。
【図６】花立てを兼用した収納箱の片開き扉を開いた状態を示す斜視図である。
【図７】図６の断面図である。
【図８】図６の収納箱の片開き扉を閉じた状態を示す正面図である。
【図９】図８の断面図である。
【符号の説明】
【００２１】
１    コ字形本体部                                          
２    花立て孔                                              
３    収納部                                                
４    側板                                                  
５    片開き扉                                              
６    つまみ                                                
１０Ａ、１０Ｂ  ねじ部                                      
１１  小径部                                                
１２  大径部                                                
１３  回転つまみ                                            
１４  リング部                                              
１５  大径シム                                              
１７  ナット                                                
１８  ストッパー                                            
１９  回動片                                                
２０  シム                                                  
２１  スプリング座金                                        
２２  ナット                                                
２３  回転つまみ取付け孔                                    
２４  円筒体                                                
２５  段部                                                  
２７  ねじ山                                                
２８  円柱部                                                
２９  フランジ                                              
２９  内側部材                                              
３１  ねじ孔                                                
３２  キャップ部材                                          
３３  ねじ棒                                                
３４  六角溝                                                
３５  六角レンチ                                            
【図１】
2007321516.tif 000003
【図２】
2007321516.tif 000004
【図３】
2007321516.tif 000005
【図４】
2007321516.tif 000006
【図５】
2007321516.tif 000007
【図６】
2007321516.tif 000008
【図７】
2007321516.tif 000009
【図８】
2007321516.tif 000010
【図９】
2007321516.tif 000011